(57)【要約】      （修正有）【課題】異物混入防止治具の形状を板状から球状に変えることで、タンクの排出口の適正な位置に容易に装着することができ、かつ、その装着を短時間で完了させる。【解決手段】タンクの排出口の口径よりも長い外径ｄ１を有し、中空の略球形状の治具本体２と、治具本体２の数箇所に開けた、液体は通すが異物の通過は阻止し得る程度の径を有する通水孔３と、治具本体２に取り付けた操作紐４とから成り、タンクの底部において、自重で転がるように移動させ、タンクの排出口に落とし込むように装着する。【選択図】図１
2008230680.tif 000002
【特許請求の範囲】
【請求項１】
タンク（５１）の底部（５１ａ）において、自重で転がるように移動させ、該タンク（５１）の排出口（５３）に落とし込むように装着するタンク排水口の異物混入防止治具であって、
前記タンク（５１）の排出口（５３）の口径（ｄ２）よりも長い外径（ｄ１）を有し、中空の略球形状の治具本体（２）と、
前記治具本体（２）の数箇所に開けた、液体は通すが異物の通過は阻止し得る程度の径を有する通水孔（３）と、
前記治具本体（２）に取り付けた操作紐（４）と、から成る、ことを特徴とするタンク排水口の異物混入防止治具。
【請求項２】
前記治具本体（２）は金属製の部材である、ことを特徴とする請求項１のタンク排水口の異物混入防止治具。
【請求項３】
前記金属製の治具本体（２）の表面にゴム、合成樹脂等の弾性を有するコーティング材（１２）を被覆した、ことを特徴とする請求項２のタンク排水口の異物混入防止治具。
【請求項４】
タンク（５１）底部（５１ａ）において、自重で転がるように移動させ、該タンク（５１）の排出口（５３）に落とし込むように装着するタンク排水口の異物混入防止治具であって、
液体は通すが異物の通過は阻止し得る程度の多数の隙間を有するメッシュ材（２２）を、前記タンク（５１）の排出口（５３）の口径（ｄ２）よりも長い外径（ｄ１）を有するように略球形状に形成した治具本体（２）と、
前記治具本体（２）に取り付けた操作紐（４）と、から成る、ことを特徴とするタンク排水口の異物混入防止治具。
【発明の詳細な説明】
【技術分野】
【０００１】
本発明は、発変電所等のプラント等で用いられる液体廃棄物処理タンク、処理装置等の底部の廃液出入口配管の排出口にボルト、ナット、ねじ等の異物が混入することを防止するタンク排水口の異物混入防止治具に関する。
【背景技術】
【０００２】
発変電所等のプラント等で用いられる液体廃棄物処理タンク、処理装置等の底部の廃液出入口配管の排出口には、作業中に落下したボルト、ナット、ねじ等の異物の混入を防止するために異物混入防止治具が用いられている。例えば、図７の断面図に示すように、タンク５１の上部から廃液出入口配管５２の排出口５３が、機器５４に隠れて視認できない場合がある。このような状態において、従来のメッシュ付き異物混入防止具５５に操作紐を繋げて、タンク５１の上部から廃液出入口配管５２の排出口５３に合せるように慎重に取り付けていた。
【０００３】
このメッシュ付き異物混入防止具５５は、図８，９の平面図と側面図に示すように、円形の枠体５６に異物の通過を阻止するメッシュ板５７を挟んだものである。この枠体５６の一部に操作紐を連結する掛止孔５８を設けたものである。図１０の説明図に示すように、従来はこのようなメッシュ付き異物混入防止具５５を、タンク５１の略椀形状の底部５１ａの中心にある排出口５３に、その自重で滑り落とし、このメッシュ付き異物混入防止具５５の中心と排出口５３の中心とを合わせるようにしていた。
【０００４】
このような排水口へ異物等の落下物が流入しないようにする技術については、例えば特許文献１の実開平７−１００７２号公報「排水口カバー」に示すように、内径が排水口の口径よりも大なる周縁の内周から半球状に突出した網状キャップを設け、周縁の下面には全周に亙って複数の突出片を間隔を開けて設けると共に、周縁の少なくとも三か所には略均等に間隔を開けて下方に突出した吸着盤を付設し、突出片は、吸着盤を被吸着面に押圧して吸着したときに、突出片が被吸着面に当接するだけの突出高さを有する排水口カバーが提案されている。
【特許文献１】特開平８−６８３９８実開平７−１００７２号公報
【発明の開示】
【発明が解決しようとする課題】
【０００５】
しかし、上述したように、従来のメッシュ付き異物混入防止具５５は、図１１の説明図に示すように、タンク５１の略椀形状の底部５１ａの途中で止まりやすく、排出口５３の中心まで移動させることが非常に困難であるという問題を有していた。タンク５１の上部から排出口５３が、機器５４に隠れて視認できないので、上方から適正な位置に装着できたかどうかの確認が不可能であった。
【０００６】
そこで、従来のメッシュ付き異物混入防止具５５を排出口５３の適正な位置に装着するために、長時間を要するという問題を有していた。
【０００７】
本発明は、かかる問題点を解決するために創案されたものである。すなわち、本発明の目的は、異物混入防止治具の形状を板状から球状に変えることで、タンクの排出口の適正な位置に容易に装着することができ、かつ、その装着を短時間で完了させることができるタンク排水口の異物混入防止治具を提供することにある。
【課題を解決するための手段】
【０００８】
本発明によれば、タンク（５１）の底部（５１ａ）において、自重で転がるように移動させ、該タンク（５１）の排出口（５３）に落とし込むように装着するタンク排水口の異物混入防止治具であって、前記タンク（５１）の排出口（５３）の口径（ｄ２）よりも長い外径（ｄ１）を有し、中空の略球形状の治具本体（２）と、前記治具本体（２）の数箇所に開けた、液体は通すが異物の通過は阻止し得る程度の径を有する通水孔（３）と、前記治具本体（２）に取り付けた操作紐（４）と、から成る、ことを特徴とするタンク排水口の異物混入防止治具が提供される。
前記治具本体（２）は金属製の部材で製造することが好ましい。
前記金属製の治具本体（２）の表面には、ゴム、合成樹脂等の弾性を有するコーティング材（１２）を被覆することが好ましい。
【０００９】
また、液体は通すが異物の通過は阻止し得る程度の多数の隙間を有するメッシュ材（２２）を、前記タンク（５１）の排出口（５３）の口径（ｄ２）よりも長い外径（ｄ１）を有するように略球形状に形成した治具本体（２）と、前記治具本体（２）に取り付けた操作紐（４）と、から成るように構成することができる。
【発明の効果】
【００１０】
上記構成では、操作紐（４）の先に繋げた治具本体（２）を、タンク（５１）底部（５１ａ）に落とし、この略椀形状の底部（５１ａ）において、その自重で移動させ、排出口（５３）に落とし込むように装着する。この治具本体（２）は略球体であるために転がりやすく、円形状の排出口（５３）に容易に落とし込むように嵌めることができ、短時間で装着することができる。
【００１１】
この治具本体（２）には多数の通水孔（３）を開けているので、排水は通水して配管に流すことができるが、この廃水に混入した異物はその通過を阻止することができる。同様に作業中に落下したボルト、ナット、ねじが廃液出入口配管（５２）に流れ込むことを防止することができる。
【００１２】
一方、治具本体（２）は、円形状の排出口（５３）に嵌っているだけなので、治具本体（２）に取り付けた操作紐（４）を引っ張ることにより、この治具本体（２）を容易に取り外すことができる。
【００１３】
金属製の治具本体（２）の表面にゴム、合成樹脂等の弾性を有するコーティング材（１２）を被覆することにより、この治具本体（２）の排出口（５３）との密着性が高まり、この治具本体（２）が排出口（５３）から簡単に外れなくなる。
【発明を実施するための最良の形態】
【００１４】
本発明タンクの排水口の異物混入防止治具は、タンクの排水口の口径よりも長い外径を有し、中空の略球形状の治具本体をこのタンク底部において、その自重で転がるように移動させ、タンクの排水口に落とし込むように装着するものである。
【実施例１】
【００１５】
以下、本発明の好ましい実施の形態を図面を参照して説明する。
図１は実施例１のタンク排水口の異物混入防止治具を示す正面図である。図２は治具本体の拡大断面図である。図３は実施例１の異物混入防止治具を用いるタンクの断面図である。図４は実施例１の異物混入防止治具をタンク底部において転がしている状態の説明図である。
実施例１の異物混入防止治具１は、中空の略球形状の治具本体２から成り、この治具本体２に液体は通すが、ボルト、ナット、ねじ等の異物の通過は阻止する通水孔３を数箇所に開け、異物が廃液出入口配管５２に流れ込むことを防止するものである。この治具本体２に操作紐４を取り付け、この操作紐４で吊り下げた状態で排出口５３に装着するようになっている。
【００１６】
治具本体２は、例えば鉄等の金属製の略球形状からなる。治具本体２は、図４に示すように、その外径ｄ１はタンク５１の排水口５３の口径ｄ２より長くする。勿論これは本発明の治具本体２が排出口５３内に落下しないようするためである。本発明の治具本体２が排出口５３に装着された状態で、球体の直径で１／４から１／３程度が排出口５３内に沈むように嵌めることができる。本発明の治具本体２が、この程度の深さで排出口５３に装着されていれば、廃液の流勢で治具本体２が排出口５３から外れないからである。逆に、これより深く治具本体２を排出口５３に沈めると治具本体２が排出口５３から外れにくくなる。
【００１７】
治具本体２の壁面には、液体は通すが異物の通過は阻止する通水孔３を多数開ける。これは、従来例のメッシュに相当するものである。この通水孔３の内径は例えば２，３ｍｍから１０ｍｍ程度にする。その寸法は廃液の状態に応じて決定される。粘性が高いものでは通過しやすいように内径を大きくする。逆に粘性が低くサラサラした状態では内径を小さくすることができる。
【００１８】
治具本体２の一部には操作紐４を取り付ける。この操作紐４は本発明の治具本体２をタンク５１内に落とし込むとき、又は取り外すときに使用する、治具本体２と操作紐４との連結具５は回動しやすい構造が望ましい。椀形状のタンク５１の底部５１ａにおいて本発明の治具本体２がその自重で転がりやすくするためである。
【００１９】
上述した異物混入防止治具１は、図３と図４に示すように、操作紐４の先につなげた治具本体２をタンク５１の底部５１ａに落とし、この略椀形状の底部５１ａにおいて、その自重で転がるように移動させ、排出口５３に落とし込むように装着する。この治具本体２は略球体であるために、円形状の排出口５３に容易に落とし込むように嵌めることができるので、短時間で装着することができる。
【００２０】
この治具本体２には多数の通水孔３を開けているので、排水は通水して廃液出入口配管５２に流すことができるが、この廃水に混入した異物はその通過を阻止することができる。同様に作業中に落下したボルト、ナット、ねじも廃液出入口配管５２に流れ込むことを防止することができる。
【００２１】
一方、治具本体２は、円形状の排出口５３に嵌っているだけなので、治具本体２に取り付けた操作紐４を引っ張ることにより、この治具本体２を排出口５３から容易に取り外すことができる。これにより、治具本体２に詰った異物を除去することができる。
【実施例２】
【００２２】
図５は実施例２のコーティング材を被覆した異物混入防止治具の断面図である。
実施例２の異物混入防止治具１１では、金属製の治具本体２の表面にゴム、合成樹脂等の弾性を有するコーティング材１２を被覆した。このように金属製の治具本体２の表面にコーティング材１２を被覆することにより、この治具本体２の排出口５３との密着性が高まり、廃液等の強い流勢があっても、この治具本体２が排出口５３から簡単に外れなくなる。なお、廃液等の種類に応じて、耐食性の良い素材をコーティングする必要がある。この実施例３の排出口５３への装着、取り外しといった使用方法は、実施例１の異物混入防止治具１と同様である。
【実施例３】
【００２３】
図６は実施例３のメッシュ材から成る異物混入防止治具の正面図である。
実施例３の異物混入防止治具２１では、実施例１の通水孔３に代えて液体は通すが異物の通過は阻止し得る程度の多数の隙間を有するメッシュ材２２を用いた。このメッシュ材２２であってもその形状はタンク５１の排出口５３の口径ｄ２よりも長い外径ｄ１を有するように略球形状に形成した。この治具本体２に操作紐４も取り付けた。この実施例３の使用方法も、実施例１の異物混入防止治具１と同様である。
【００２４】
なお、本発明は、異物混入防止治具１，１１，２１の形状を板状から球状に変えることで、タンク５１の排出口５３の適正な位置に容易に装着することができ、かつ、その装着を短時間で完了させることができれば、上述した発明の実施の形態に限定されず、本発明の要旨を逸脱しない範囲で種々変更できることは勿論である。
【産業上の利用可能性】
【００２５】
本発明の異物混入防止治具は、発変電所等のプラント等で用いられる液体廃棄物処理タンク、処理装置等の底部の廃液出入口配管の排出口に利用することができる。
【図面の簡単な説明】
【００２６】
【図１】実施例１のタンク排水口の異物混入防止治具を示す正面図である。
【図２】治具本体の拡大断面図である。
【図３】実施例１の異物混入防止治具を用いるタンクの断面図である。
【図４】実施例１の異物混入防止治具をタンク底部を転がしている状態の説明図である。
【図５】実施例２のコーティング材を被覆した異物混入防止治具の断面図である。
【図６】実施例３のメッシュ材から成る異物混入防止治具の正面図である。
【図７】異物混入防止治具を用いるタンクの断面図である。
【図８】従来のメッシュ付き異物混入防止具の平面図である。
【図９】従来のメッシュ付き異物混入防止具の側面図である。
【図１０】従来の異物混入防止治具をタンク底部において転がしている状態の説明図である。
【図１１】従来の異物混入防止治具がタンク底部の適正な位置に装着できていない状態の説明図である。
【符号の説明】
【００２７】
１  異物混入防止治具（実施例１）
２  治具本体
３  通水孔
４  操作紐
５  連結具
１１  異物混入防止治具（実施例２）
１２  コーティング材
２１  異物混入防止治具（実施例３）
５１  タンク
５１ａ  タンク底部
５３  排出口
ｄ１  治具本体の外径
ｄ２  排出口の口径
【図１】
2008230680.tif 000003
【図２】
2008230680.tif 000004
【図３】
2008230680.tif 000005
【図４】
2008230680.tif 000006
【図５】
2008230680.tif 000007
【図６】
2008230680.tif 000008
【図７】
2008230680.tif 000009
【図８】
2008230680.tif 000010
【図９】
2008230680.tif 000011
【図１０】
2008230680.tif 000012
【図１１】
2008230680.tif 000013